(57)【特許請求の範囲】
【請求項１】
背板の上部に開閉可能に取り付けられ、前端部には、その上面から下面に向けてオーバーハング状に傾斜する第１傾斜面が設けられている第１天板と、
前記第１天板の前側に配置され、後端部には、その下面から上面に向けて傾斜し、前記第１天板の前記第１傾斜面の下側に潜り込む第２傾斜面が設けられている第２天板と、
第１孔を有し、前記第２天板の下側に取り付けられた取付部材と、
第２孔を有し、前記第２天板の下側かつ前記取付部材の前側に配置される天前板と、
前記第１孔と前記第２孔が前後に配置されている状態で、前記第１孔及び前記第２孔に挿通されて、前記取付部材及び前記天前板を固定する固定部材と、
を備え、
前記取付部材と前記天前板の間に、前記第２天板が配置される位置を前後方向に調整することにより生じる隙間を有することを特徴とする鍵盤楽器。
【請求項２】
請求項１に記載の鍵盤楽器において、前記背板は一対の側板の後部に設けられ、前記第２天板の前記一対の側板に対する設置位置は、前記固定部材により前記取付部材及び前記天前板が固定される際に調整されていることを特徴とする鍵盤楽器。
【請求項３】
請求項１または請求項２に記載の鍵盤楽器において、前記固定部材は、前記天前板の前側から前記取付部材及び前記天前板を固定していることを特徴とする鍵盤楽器。
【請求項４】
請求項１〜請求項３のいずれかに記載の鍵盤楽器において、前記取付部材は、前記第２天板の下面に取り付けられる第１取付部と前記天前板の後面に対して取り付けられる第２取付部とを有することを特徴とする鍵盤楽器。
【請求項５】
背板の上部に開閉可能に取り付けられた第１天板と、
前記第１天板の前側に配置される第２天板と、
第１孔を有し、前記第２天板の下側に取り付けられた取付部材と、
第２孔を有し、前記第２天板の下側かつ前記取付部材の前側に配置される天前板と、
前記天前板の前面に設けられている、放音用のネット部材と、
前記第１孔と前記第２孔が前後に配置されている状態で、前記第１孔及び前記第２孔に挿通されて、前記取付部材及び前記天前板を固定する固定部材と、
を備え、
前記取付部材と前記天前板の間に、前記第２天板が配置される位置を前後方向に調整することにより生じる隙間を有することを特徴とする鍵盤楽器。
【請求項６】
請求項５に記載の鍵盤楽器において、前記第１天板の前端部には、その上面から下面に向けてオーバーハング状に傾斜する第１傾斜面が設けられており、前記第２天板部の後端部には、その下面から上面に向けて傾斜し、前記第１天板の前記第１傾斜面の下側に潜り込む第２傾斜面が設けられていることを特徴とする鍵盤楽器。
【請求項７】
一対の側板の後部に設けられた背板の上部に第１天板を回転可能に取り付ける第１の工程と、
前記第１天板の前側に位置する前記一対の側板上に第２天板を配置する際に、前記第１天板の前端部と前記第２天板の後端部との間に隙間ゲージを配置し、この状態で第２天板の下側に取り付けられた第１孔を有する取付部材と、前記第２天板の下側かつ前記取付部材の前側に配置された第２孔を有する天前板とを、前記天前板の前側から前記第１孔及び前記第２孔を挿通することにより固定する固定部材によって前記第２天板の前記一対の側板に対する取付位置を調整する第２の工程と、
を有していることを特徴とする天板組立方法。
【請求項８】
請求項１〜請求項６のいずれかに記載された鍵盤楽器において、複数の鍵を有する鍵盤部と、
前記複数の鍵のいずれかに対する押鍵操作に応答して楽音を発音する発音部と、
を備えていることを特徴とする電子鍵盤楽器。
【発明の詳細な説明】
【技術分野】
【０００１】
この発明は、ピアノやオルガンなどの鍵盤楽器、その天板組立方法、およびそれらを備えた電子鍵盤楽器に関する。
【背景技術】
【０００２】
例えば、鍵盤楽器の楽器ケースにおいては、特許文献１に記載されているように、一対の側板と、これら一対の側板の後部間に設けられた背板と、この背板の上端部および一対の側板の後部に位置する上端部に取り付けられた第１天板と、一対の側板の前部に位置する上端部に配置されて第１天板の前端部にヒンジ部によって取り付けられた第２天板と、を備えた構成のものが知られている。
【先行技術文献】
【特許文献】
【０００３】
【特許文献１】特開２００５−２８３９５５号公報
【発明の概要】
【発明が解決しようとする課題】
【０００４】
しかしながら、このような楽器ケースの天板では、背板の上端部および一対の側板の後部側に位置する上端部に第１天板を取り付けた後に、第２天板を一対の側板の前部側に位置する上端部に配置し、この状態で第２天板の後端部を第１天板の前端部にヒンジ部によって取り付けた際に、第２天板が一対の側板に対して位置ずれが生じる場合があり、第２天板を一対の側板に対して精度良く正確に取り付けることができないことがあるという問題がある。
【０００５】
また、このような問題を解消するために、予め、第２天板の後端部を第１天板の前端部にヒンジ部によって取り付け、この状態で第１天板と第２天板とを一対の側板の上端部と背板の上端部とに一度に配置して取り付けることが考えられるが、このような組立方法では、第１天板と第２天板との総重量が重いため、これらを位置合わせして設置する作業が面倒であるという問題が生じる。
【０００６】
この発明が解決しようとする課題は、第１天板および第２天板を良好に取り付けることができる鍵盤楽器、天板組立方法、および電子鍵盤楽器を提供することである。
【課題を解決するための手段】
【０００７】
この発明の一態様は、背板の上部に開閉可能に取り付けられ、前端部には、その上面から下面に向けてオーバーハング状に傾斜する第１傾斜面が設けられている第１天板と、前記第１天板の前側に配置され、後端部には、その下面から上面に向けて傾斜し、前記第１天板の前記第１傾斜面の下側に潜り込む第２傾斜面が設けられている第２天板と、第１孔を有し、前記第２天板の下側に取り付けられた取付部材と、第２孔を有し、前記第２天板の下側かつ前記取付部材の前側に配置される天前板と、前記第１孔と前記第２孔が前後に配置されている状態で、前記第１孔及び前記第２孔に挿通されて、前記取付部材及び前記天前板を固定する固定部材と、を備え、前記取付部材と前記天前板の間に、前記第２天板が配置される位置を前後方向に調整することにより生じる隙間を有することを特徴とする鍵盤楽器である。
【発明の効果】
【０００８】
この発明によれば、第１天板および第２天板を良好に取り付けることができる。
【図面の簡単な説明】
【０００９】
【図１】この発明を鍵盤楽器に適用した一実施形態において、一部を破断して示した正面図である。
【図２】図１に示された鍵盤楽器のＡ−Ａ矢視における拡大断面図である。
【図３】図２に示された鍵盤楽器の取付調整部材によって第２天板を取り付ける状態を示した要部の拡大断面図である。
【発明を実施するための形態】
【００１０】
以下、図１〜図３を参照して、この発明を鍵盤楽器に適用した一実施形態について説明する。
この鍵盤楽器は、図１および図２に示すように、楽器ケース１を備えている。
【００１１】
この楽器ケース１は、図１および図２に示すように、底板２と、この底板２の前端部（図２では左端部）に起立して設けられた前板３と、底板２の後端部（図２では右端部）に起立して設けられた背板４と、底板２の両側部（図２は紙面の表裏面側）に起立して設けられた一対の側板５と、背板４の上端部および一対の側板５の上端部に設けられた天板６と、を備えている。
【００１２】
この場合、前板３は、図１および図２に示すように、その高さが背板４の高さの半分以下の高さに形成されている。また、一対の側板５は、前部側（図２では左側）が前板３の高さよりも少し高く形成され、後部側（図２では右側）が背板４と同じ高さに形成されている。これにより、一対の側板５は、前部側と後部側との境界部がほぼ垂直な立ち上り部５ａに形成され、この立ち上り部５ａの下部から側板５の前端部に向けて前下がりに緩やかに傾斜する傾斜部５ｂが形成されている。
【００１３】
天板６は、図２に示すように、第１天板３０と第２天板３１とを備え、これらが一対の側板５における後部側（図２では右側）の各上端部と背板４の上端部とに亘って取り付けられるように構成されている。この場合、第１天板３０は、背板４の上端部と一対の側板５の上端部における後部側に開閉可能に配置されるように構成されている。第２天板３１は、第１天板３０の前側に位置する一対の側板５の上端部における前部側に配置されるように構成されている。
【００１４】
これにより、楽器ケース１は、図１および図２に示すように、一対の側板５の前部側（図２では左側）に位置する個所が上側に開放されたほぼ箱形状に形成されている。この場合、天板６における第２天板３１の上面には、譜面立て９が後方に少し傾いた状態で起立して設けられている。
【００１５】
一方、楽器ケース１内における前側部（図２では左側）には、図２に示すように、鍵盤部７が上方に露呈した状態で設けられている。この鍵盤部７は、楽器ケース１の底板２上に設けられた鍵盤シャーシ８と、この鍵盤シャーシ８上に並列に配列された複数の鍵１０と、を備えている。複数の鍵１０は、白鍵１０ａと黒鍵１０ｂとを有し、その各後端部が鍵盤シャーシ８上に上下方向に回転可能に取り付けられ、この状態で楽器ケース１の前側上方に露呈するように構成されている。
【００１６】
また、楽器ケース１内には、図２に示すように、鍵盤部７の複数の鍵１０にそれぞれアクション荷重を付与するアクション機構部１１が、鍵盤部７の後方に位置して設けられている。このアクション機構部１１は、鍵１０が押鍵された際に、その押鍵された鍵１０に対応するハンマー部材１１ａが回転することにより、押鍵された鍵１０それぞれにアクション荷重を付与するように構成されている。
【００１７】
すなわち、このアクション機構部１１は、図２に示すように、鍵１０にアクション荷重を付与することにより、アコースティックピアノの鍵タッチに近似した鍵タッチ感が得られるように構成されている。また、このアクション機構部１１は、ハンマー部材１１ａが回転して鍵１０にアクション荷重を付与した際に、スイッチ動作するスイッチ部１２を備えている。このスイッチ部１２は、そのスイッチ動作によって後述する発音部１３から楽音を発生させるための電気信号を出力するように構成されている。
【００１８】
また、この楽器ケース１内には、図２に示すように、鍵盤部７とアクション機構部１１との間を仕切る仕切部材１４が設けられている。この仕切部材１４は、鍵盤部７における複数の鍵１０の各後端部の上方に配置されたカバー板１４ａと、このカバー板１４ａの後端部上にほぼ垂直に起立して設けられた天前板１４ｂと、を有している。
【００１９】
この場合、カバー板１４ａは、図２に示すように、鍵盤部７の後部上側に位置した状態で、一対の側板５間に梁渡されている。また、天前板１４ｂは、天板６における第２天板３１の前端部（図２では左端部）に位置する側板５の立ち上り部５ａから後部側（図２では右端部）に離れた位置に配置されている。
【００２０】
この天前板１４ｂは、図２に示すように、その上端部が第２天板３１の下面に配置され、鍵１０の配列方向における両端部が一対の側板５間に取り付けられて固定されるように構成されている。また、この天前板１４ｂの上部には、図１に示すように、複数の開放孔１４ｃが鍵１０の配列方向に沿って所定間隔で設けられている。
【００２１】
さらに、この楽器ケース１内には、図２に示すように、棚板１５が天板６の下側でかつアクション機構部１１の上方に位置する箇所に配置されている。この棚板１５は、天前板１４ｂに設けられた複数の開放孔１４ｃの下側に位置する天前板１４ｂの上部と背板４との間に位置した状態で、一対の側板５間に固定されている。この棚板１５の前側下面における鍵１０の配列方向の両側には、スピーカなどの発音部１３がそれぞれ上向きで取り付けられている。この場合、棚板１５には、発音放音孔１５ａが発音部１３に対応して設けられている。
【００２２】
ところで、この楽器ケース１には、図１および図２に示すように、鍵盤部７を開閉可能に覆うための鍵盤蓋開閉装置１６が設けられている。この鍵盤蓋開閉装置１６は、鍵盤部７を開閉可能に覆う鍵盤蓋１７を備えている。この鍵盤蓋１７は、鍵盤部７の前後方向における長さが互いに異なる前蓋１８と後蓋１９とを有し、これら前蓋１８と後蓋１９とが蝶番などの連結部材２０によって折り曲げ可能に連結された構成になっている。
【００２３】
すなわち、この鍵盤蓋１７は、図２に示すように、前蓋１８と後蓋１９とが図２において連結部材２０を中心に回転してほぼ平板状に展開した状態で、鍵盤部７の上側に配置されることにより、前蓋１８が鍵盤部７の前部側を覆い、後蓋１９が鍵盤部７の後部側を覆うように構成されている。この場合、前蓋１８は、その前後方向の長さが後蓋１９の前後方向（図２では上下方向）の長さよりも長く形成されている。
【００２４】
また、この鍵盤蓋開閉装置１６は、図２に示すように、後蓋１９の後端部を楽器ケース１に回転可能に支持する回転支点部２１と、前蓋１８の前端部を鍵盤部７の前後方向にガイドするガイド部２２と、を備えている。回転支点部２１は、ヒンジ部であり、仕切部材１４の天前板１４ｂの下部に位置した状態で、一対の側板５間に梁渡された軸部２１ａと、後蓋１９の後端上部に設けられた筒状の軸受部２１ｂと、を備えている。
【００２５】
これにより、回転支点部２１は、図２に示すように、一対の側板５間に梁渡された軸部２１ａが後蓋１９の軸受部２１ｂに挿入され、この状態で軸部２１ａを中心に後蓋１９が上下方向に回転するように構成されている。また、この回転支点部２１は、前蓋１８と後蓋１９とが連結部材２０で折れ曲がって鍵盤蓋１７が鍵盤部７を開放した際に、鍵盤蓋１７を山折に折り曲げて前蓋１８を鍵盤部７の後部上方に起立させるように構成されている。
【００２６】
また、ガイド部２２は、図２に示すように、前蓋１８の前端下部に設けられたガイド突起部１８ａが挿入して鍵盤部７の前後方向にガイドする溝であり、楽器ケース１における一対の側板５の各内面に設けられている。すなわち、このガイド部２２は、鍵盤部７の前端部から立ち上がり、鍵盤部７の上側に沿って鍵盤部７の後部に亘って緩やかに湾曲した状態で設けられている。
【００２７】
これにより、鍵盤蓋１７は、図２に示すように、前蓋１８と後蓋１９とが図２において連結部材２０を中心に回転してほぼ平板状に展開した状態で鍵盤部７の上側に配置された際に、前蓋１８が前下がりに少し傾斜した状態で、前蓋１８のガイド突起部１８ａがガイド部２２の前端部に位置して支持されると共に、後蓋１９がほぼ水平な状態で、後蓋１９の後端部が回転支点部２１によって支持されるように構成されている。
【００２８】
また、この鍵盤蓋１７は、図２に示すように、前蓋１８と後蓋１９とが連結部材２０を中心に折れ曲がって互いに接近した状態で、鍵盤部７を開放させた際に、前蓋１８のガイド突起部１８ａがガイド部２２の後端部に位置して前蓋１８がほぼ直立に起立した状態で支持されると共に、後蓋１９の後端部が回転支点部２１によって支持されて後蓋１９が起立するように構成されている。
【００２９】
この場合、鍵盤蓋１７は、図２に示すように、前蓋１８と後蓋１９とが連結部材２０を中心に山折に折れ曲がって起立した際に、後蓋１９が仕切部材１４の天前板１４ｂに接近した状態で、一対の側板５の立ち上り部５ａと天前板１４ｂとの間に配置されて収納されるように構成されている。すなわち、この鍵盤蓋１７は、山折に折れ曲がって起立した際に、その上端部が第２天板３１の下面から下側に離れた位置、つまり天前板１４ｂの開放孔１４ｃよりも少し低い高さになるように構成されている。
【００３０】
一方、この楽器ケース１の前側上部には、図１および図２に示すように、放音部材２４が設けられている。この放音部材２４は、枠形状に形成され、発音部１３で発生した音を楽器ケース１の前側に向けて放音する放音孔２３が、楽器ケース１の前後方向に開放されて設けられている。また、この放音部材２４は、鍵盤部７の後部上方に位置する楽器ケース１の第２天板３１の前側下面に配置されている。
【００３１】
すなわち、この放音部材２４は、図１および図２に示すように、複数の鍵１０の配列方向に沿う鍵盤部７の全長に亘って配置された枠状部２５を有し、枠状部２５で囲われた領域に放音孔２３が楽器ケース１の前後方向に開放された状態で形成された構成になっている。この場合、枠状部２５は、厚みの薄い上板部２５ａと同じ厚みの下板部２５ｂとによって枠状に構成されている。この枠状部２５は、その高さが天前板１４ｂの上部に設けられた開放孔１４ｃに対応する長さで形成されている。
【００３２】
また、この枠状部２５は、図１および図２に示すように、その前後方向の長さが、天前板１４ｂの前面と一対の側板５の立ち上り部５ａとの間の長さよりも少し短い長さで形成されている。枠状部２５は、側板５の立ち上り部５ａより前方向に突出しないことが望ましい。つまり、側板５の上部の前後方向の長さに基づく。
【００３３】
これにより、放音部材２４は、図１および図２に示すように、天前板１４ｂの上部に設けられた開放孔１４ｃに対応して、天前板１４ｂの前側に位置する第２天板３１の前側下面に配置され、この状態で第２天板３１の下面に取り付けられるように構成されている。
【００３４】
この場合、放音部材２４は、図１〜図３に示すように、鍵盤蓋１７が山折に折れ曲がって、後蓋１９が天前板１４ｂに接近した状態で、一対の側板５の立ち上り部５ａと仕切部材１４の天前板１４ｂとの間に起立して配置された際に、鍵盤蓋１７の上端部が放音部材２４の下側に位置することにより、鍵盤蓋１７によって放音部材２４の放音孔２３が塞がれないように構成されている。
【００３５】
また、この放音部材２４の前面には、図１に示すように、ネット部材２９が設けられている。このネット部材２９は、発音部１３のネットとほぼ同じ布状のものであり、放音部材２４の放音孔２３を覆って放音部材２４の前面に取り付けられ、この状態で発音部１３が発生した音を通過させ、埃などの塵挨が通過しないように構成されている。この場合、ネット部材２９は、楽器ケース１の前面に露呈するため、装飾性を有していることが望ましい。
【００３６】
ところで、天板６の後部側に位置する第１天板３０は、図２に示すように、放音蓋であり、その後端部が蝶番３０ａによって背板４の上端部に回転可能に取り付けられ、この蝶番３０ａを中心に上下方向に回転して天板放音孔６ａを開閉するように構成されている。この第１天板３０は、蝶番３０ａを中心に上方に向けて回転して天板放音孔６ａを開放した際に、蓋支持部材３２によって支持されるように構成されている。
【００３７】
この蓋支持部材３１は、図２に示すように、楽器ケース１内の棚板１５の上面に設けられた支持規制部３３と、この支持規制部３３にスライド可能に設けられて第１天板３０を支持する支持棒３４と、を備えている。この支持棒３４は、その上端部３４ａが第１天板３０の前側下面に回転可能に取りけられ、下端部３３ｂが支持規制部３３にスライド可能に設けられた構成になっている。
【００３８】
これにより、支持棒３４は、図２に示すように、放音蓋である第１天板３０が開かれる際に、下端部３４ｂが支持規制部３３に沿って前側に移動しながら徐々に起立し、第１天板３０が開かれた際に、下端部３４ｂが支持規制部３３の前端部に当接して位置規制されることにより、天板放音孔６ａを開放した状態で第１天板３０を支持するように構成されている。
【００３９】
また、この支持棒３４は、図２に示すように、第１天板３０が閉じられる際に、下端部３３ｂが支持規制部３３に沿って後側に移動しながら徐々に横倒し、第１天板３０が閉じられた際に、下端部３４ｂが支持規制部３３の後端部に位置して、楽器ケース１内に横倒して収納されることにより、第１天板３０が閉じられて天板放音孔６ａを塞ぐように構成されている。
【００４０】
一方、天板６の前側に位置する第２天板４１は、図２および図３に示すように、取付調整部材３５によって第１天板３０の前側に位置する一対の側板５上に取り付けられるように構成されている。この第２天板３１は、その前端部が一対の側板５の中間部に位置する立ち上り部５ａから少し前側に突出した状態で配置され、かつ第２天板３１の後端部が第１天板３０の前端部に接近した状態で配置されるように構成されている。
【００４１】
この場合、第１天板３０の前端部には、図２に示すように、その上面から下面に向けてオーバーハング状に傾斜する第１傾斜面３０ｂが設けられている。また、第２天板部３１の後端部には、その下面から上面に向けて傾斜し、第１天板３０の第１傾斜面３０ｂの下側に潜り込む第２傾斜面３１ａが設けられている。
【００４２】
取付調整部材３５は、図２および図３に示すように、第２天板３１の下面に取り付けられる第１取付部３６ａと天前板１４ｂの後面（図３では右側面）に対して取り付けられる第２取付部３６ｂとを有する取付部材３６と、第１取付部３６ａを第２天板３１の下面に取り付ける複数のビス３７と、第２取付部３６ｂを天前板１４ｂの後面に対して調整可能に取り付ける締結部材であるねじ部材３８と、を備えている。
【００４３】
取付部材３６は、図２および図３に示すように、ステンレスなどの金属板を逆Ｌ字形状に折り曲げた金具であり、第２天板３１の下面に対応する第１取付部３６ａと、天前板１４ｂの後面に対応する第２取付部３６ｂとが、一体に形成された構成になっている。この場合、第１取付部３６ａは、複数のビス３７によって第２天板３１の下面に取り付けられるように構成されている。
【００４４】
また、第２取付部３６ｂには、図２および図３に示すように、ねじ部材３８が螺合するねじ孔３９が設けられている。ねじ部材３８は、ねじ部３８ａと頭部３８ｂとを有し、ねじ部３８ａが天前板１４ｂに設けられたねじ挿入孔４０に前側（図３では左側面）から挿入されて螺合するように構成されている。この場合、天前板１４ｂの前面には、補助金具４１がビス４２によって取り付けられており、この補助金具４１には、ねじ孔４１ａが天前板１４ｂのねじ挿入孔４０に対応して設けられている。
【００４５】
これにより、ねじ部材３８は、図２および図３に示すように、補助金具４１のねじ孔４１ａにねじ部３８ａが螺合して天前板１４ｂのねじ挿入孔４０に挿入され、この状態で取付部材３６の第２取付部３６ｂのねじ孔３９に螺合することにより、天前板１４ｂの後面と第２取付部３６ｂとの間に隙間Ｓ１が生じていても、その隙間Ｓ１を保った状態で、第２取付部３６ｂを天前板１４ｂに対して取り付けるように構成されている。
【００４６】
このため、取付調整部材３５は、図２および図３に示すように、第２天板３１の下面に取付部材３６の第１取付部３６ａを複数のビス３７で取り付け、この第２天版３１を第１天板３０の前側に位置する一対の側板５上に配置して位置合せし、この状態でねじ部材３８によって第２取付部３６ｂを天前板１４ｂに対して取り付けるように構成されている。
【００４７】
次に、このような天板６の第１天板３０および第２天版３１を一対の側板５上に取り付ける場合について説明する。
この場合には、第１天板３０および第２天版３１を一対の側板５上に取り付ける前に、予め、楽器ケース１内に鍵盤部７およびアクション機構部１１を組み込み、この状態で仕切り部材１４および棚板１５を取り付ける。
【００４８】
この場合、仕切り部材１４を取り付ける際には、予め、天前板１４ｂに鍵盤蓋１７を取り付け、この状態でカバー板１４ａを楽器ケース１内に組み付け、この後天前板１４ｂを楽器ケース１内に組み込む。また、棚板１５を取り付け際には、予め、棚板の下面に発音部１３を取り付け、この状態で楽器ケース１の一対の側板５間に組み付ける。
【００４９】
そして、天板６を一対の側板５上に取り付ける際には、まず、背板４の上端部に第１天板３０を開閉可能に取り付ける。このときには、第１天版３０を一対の側板５の上端部と背板４の上端部に配置して位置合せし、この状態で第１天版３０の後端部を蝶番３０ａによって背板４の上端部に回転可能に取り付ける。
【００５０】
また、このときには、第１天板３０の下面に支持棒３４の上端部３４ａを取り付け、この支持棒３４の下端部３４ｂを支持規制部３３に取り付け、この支持規制部３３を棚板１５上に取り付ける。これにより、第１天板３０は、一対の側板５の後部側に位置する上端部上と背板４の上端部上とに位置合せされた状態で、第１天板３０の後端部が背板４の上端部に蝶番３０ａによって回転可能に取り付けられている。
【００５１】
一方、第２天板３１を一対の側板５上に取り付ける場合には、予め、第２天板３１の下面に取付調整部材３５の取付部材３６を取り付ける。このときには、第２天板３１の下面における所定位置、つまり取付部材３６の第２取付部３６ｂが天前板１４ｂの後面に対面する位置に取付部材３６の第１取付部３６ａを複数のビス３７によって取り付ける。
【００５２】
そして、第２天板３１を第１天板３０の前側に位置する一対の側板５上に配置して位置合せする。このときには、第１天板３０の前端部の第１傾斜面３０ｂと第２天板３１の後端部の第２傾斜面３１ａとの間に隙間ゲージＧを配置して、第１天板３０の前端部と第２天板３１の後端部との間の隙間Ｓ２が均一になるように調整すると共に、一対の側板５に対する第２天板３１の設置位置を調整して位置合せする。
【００５３】
この状態で、第２天板３１の取付位置を取付調整部材３５によって調整して第２天板３１を一対の側板５に対して固定する。このときには、予め、天前板１４ｂのねじ挿入孔４０に補助金具４１のねじ孔４１ａを対応させた状態で、天前板１４ｂの前面に補助金具４１をビス４２によって取り付ける。
【００５４】
そして、ねじ部材３８のねじ部３８ａを補助金具４１のねじ孔４１ａにねじ部３８ａを螺合させて天前板１４ｂのねじ挿入孔４０に挿入させ、この挿入したねじ部３８ａの先端部を取付部材３６の第２取付部３６ｂのねじ孔３９に螺合させて、ねじ部材３８を締め付ける。
【００５５】
このときには、ねじ部材３８を締め付けながら、第１天板３０の前端部と第２天板３１の後端部との隙間Ｓ２を隙間ゲージＧで調整し、第１天板３０の前端部と第２天板３１の後端部との隙間Ｓ２を均一にする。このとき、天前板１４ｂの後面と第２取付部３６ｂとの間に隙間Ｓ１が生じていても、その隙間Ｓ１を保った状態で、第２取付部３６ｂが天前板１４ｂに対して固定される。これにより、第２天板３１が一対の側板５上に位置合せされて固定される。
【００５６】
この後、天前板１４ｂの前面に放音部材２４を配置して第２天板３１の下面に取り付ける。このときには、予め、放音部材２４の前面にネット部材２９を取り付け、この放音部材２４を、天前板１４ｂに設けられた複数の開放孔１４ｃに対応させて、第２天板３１の下面に取り付ける。これにより、取付調整部材３５のねじ部材３８および補強金具４１が放音部材２４のネット部材２９によって覆い隠される。
【００５７】
次に、この鍵盤楽器の作用について説明する。
この鍵盤楽器で演奏する場合には、まず、鍵盤蓋１７を開いて鍵盤部７を開放する。このときには、前蓋１８の前端下部に手を掛けて前蓋１８を押し上げながら鍵盤部７の後方に向けて押す。
【００５８】
すると、前蓋１８のガイド突起部１８ａがガイド部２２に沿って鍵盤部７の後部側に向けて移動を開始すると共に、後蓋１９の後端部が回転支点部２１を中心に図２において時計回りに回転を開始する。このときには、前蓋１８と後蓋１９とが連結部材２０を中心に回転して徐々に山折が高くなるように折れ曲がる。
【００５９】
そして、前蓋１８を更に鍵盤部７の後方に向けて押すと、前蓋１８の下面（図２では右側面）が後蓋１９の下面（図２では左側面）に対面して接近し、前蓋１８のガイド突起部１８ａがガイド部２２の後端部に位置した状態でほぼ直立に起立すると共に、後蓋１９の後端部が回転支点部２１を中心に更に時計回りに回転して起立する。
【００６０】
このときには、前蓋１８のガイド突起部１８ａがガイド部２２の後端部に支持されて、前蓋１８が鍵盤部７の後部上方にほぼ垂直な状態で起立する。これにより、前蓋１８の下面（図２では右側面）と後蓋１９の下面（図２では左側面）とが互いに対面して接近した状態で、鍵盤蓋１７が鍵盤部７の後端部上に山折に折り曲げられて起立し、鍵盤部７が開放される。
【００６１】
この状態では、鍵盤蓋１７が山折に折れ曲がって、後蓋１９が仕切部材１４の天前板１４ｂに接近した状態で、鍵盤蓋１７が一対の側板５の立ち上り部５ａと天前板１４ｂとの間に起立して配置されると共に、鍵盤蓋１７の上端部が放音部材２４の下側に位置して配置される。これにより、放音部材２４の放音孔２３が鍵盤蓋１７によって塞がれることがない。また、このときには、第１天板３０を閉じて天板放音孔６ａを塞いでおく。
【００６２】
このように第１天板３０で天板放音孔６ａが塞がれて、鍵盤部７が開放された状態では、鍵盤部７が楽器ケース１の上側に露出するので、この鍵盤部７の複数の鍵１０を押鍵操作して演奏することができる。この状態で、鍵１０を押鍵操作して演奏すると、アクション機構部１１のハンマー部材１１ａが回転して鍵１０にアクション荷重が付与される。また、このときには、アクション機構部１１のスイッチ部１２がスイッチ動作して電気信号を出力し、このスイッチ部１２からの電気信号に基づいて発音部１３が楽音を発生する。
【００６３】
このように発音部１３が楽音を発生すると、その楽音が棚板１５の発音放音孔１５ａから第１天板３０と第２天板３１との下側に放音される。このときには、天板６の天板放音孔６ａが第１天板３０で塞がれているため、天板６と棚板１５との間に放音された楽音は、仕切部材１４の天前板１４ｂの開放孔１４ｃを通して、放音部材２４の放音孔２３から楽器ケース１の前側に向けて放音される。これにより、演奏者が発音部１３で発生した楽音を良好に聴くことができる。
【００６４】
ところで、発音部１３で発生された楽音の音質を変えたい場合には、天板６の第１天板３０を開いて天板放音孔６ａを開放させれば良い。このときには、第１天板３０の後端部に設けられた蝶番３０ａを中心に第１天板３０を上方に向けて回転させると、支持棒３３の下端部３３ｂが支持規制部３２に沿って前側に移動しながら徐々に起立し、第１天板３０が開いた際に、支持棒３３の下端部３３ｂが支持規制部３２の前端部に当接して位置規制される。
【００６５】
これにより、第１天板３０が開いて天板放音孔６ａを開放させた状態で、第１天板３０が支持棒３３によって支持される。この状態で、発音部１３で楽音が発生されると、その楽音が棚板１５の発音放音孔１５ａから天板６に向けて放音される。この放音された楽音は、その一部が放音部材２４の放音孔２３を通して楽器ケース１の前側に放音される。
【００６６】
また、他の一部の楽音は、天板放音孔６ａから楽器ケース１の上方に放音され、この放音された楽音が第１天板３０で楽器ケース１の前側に向けて反響される。このように、発音部１３で発生された楽音が放音部材２４の放音孔２３と第１天板３０の天板放音孔６ａとから楽器ケース１の外部に放音されることにより、発音部１３で発生された楽音の音質が変化し、この変化した音質の楽音を良好に聴くことができる。
【００６７】
このように、この鍵盤楽器の天板によれば、一対の側板５の後部間に設けられた背板４の上端部に回転可能に取り付けられた第１天板３０と、この第１天板３０の前側に位置する一対の側板５上に配置される第２天板３１と、第１天板３０の前端部と第２天板３１の後端部との間の隙間Ｓ２を調整して第２天板３１を一対の側板５に対して固定する取付調整部材３５と、を備えていることにより、第１天板３０および第２天板３１の取付作業性が良く、かつ精度良く正確に取り付けることができる。
【００６８】
すなわち、この鍵盤楽器の天板では、背板４の上端部に第１天板３０を回転可能に取り付けた状態で、第１天板３０の前側に位置する一対の側板５上に第２天板３１を取り付ける際に、第１天板３０の前端部と第２天板３１の後端部との間の隙間Ｓ２を取付調整部材３５によって調整して取り付けることができるので、第１天板３０および第２天板３１の取付作業性が良く、かつ精度良く正確に取り付けることができる。
【００６９】
この場合、この鍵盤楽器の天板は、第２天板３１の前側下面に位置して一対の側板５間に取り付けられた天前板１４ｂを備えていることにより、第２天板３１を一対の側板５に直接取り付けて固定する必要がなく、一対の側板５間に取り付けられた天前板１４ｂに対して第２天板３１を取付調整部材３５によって取り付けることにより、第２天板３１を一対の側板５に対して確実にかつ良好に取り付けて固定することができる。
【００７０】
また、取付調整部材３５は、第２天板３１の下面に取り付けられる第１取付部３６ａと天前板１４ｂの後面に対して取り付けられる第２取付部３６ｂとを有する取付部材３６と、第１取付部３６ａを第２天板３１の下面に取り付ける複数のビス３７と、第２取付部３６ｂを天前板１４ｂの後面に対して調整可能に取り付ける締結部材であるねじ部材３８と、を備えていることにより、一対の側板５に対する第２天板３１の取付位置を取付調整部材３５によって調整して精度良く正確に取り付けることができる。
【００７１】
この場合、この取付調整部材３５は、取付部材３６の第２取付部３６ｂにねじ部材３８のねじ部３８ａが螺合するねじ孔３９が設けられ、天前板１４ｂにねじ部材３８のねじ部３８ａが挿入するねじ挿入孔４０が設けられ、天前板１４ｂの前面に補助金具４１が取り付けられ、この補助金具４１にねじ部材３８のねじ部３８ａが螺合するねじ孔ねじ孔４１ａが設けられていることにより、ねじ部材３８の締め付けを調整するだけで、第２天板３１を精度良く正確に取り付けることができる。
【００７２】
すなわち、この取付調整部材３５では、第２天板３１の下面に取付部材３６の第１取付部３６ａを複数のビス３７によって取り付け、この第２天板３１を第１天板３０の前側に位置する一対の側板５上に配置して位置合せし、ねじ部材３８のねじ部３８ａを補助金具４１のねじ孔４１ａにねじ部３８ａを螺合させて天前板１４ｂのねじ挿入孔４０に挿入させ、この挿入されたねじ部３８ａの先端部を取付部材３６の第２取付部３６ｂのねじ孔３９に螺合させ、この状態でねじ部材３８を締め付けることにより、第２天板３１を精度良く正確に取り付けることができる。
【００７３】
この場合、第１天板３０の前端部には、その上面から下面に向けてオーバーハング状に傾斜する第１傾斜面３０ｂが設けられており、第２天板部３１の後端部には、その下面から上面に向けて傾斜し、第１天板３０の第１傾斜面３０ｂの下側に潜り込む第２傾斜面３１ａが設けられていることにより、第１天板３０の第１傾斜面３０ｂと、第２天板部３１の第２傾斜面３１ａとの間に隙間Ｓ２があっても、その隙間Ｓ２を通して楽器ケース１内を見えにくくすることができると共に、埃などの塵埃が隙間Ｓ２から楽器ケース１内に侵入しにくくすることができ、かつデザイン的に好ましいものを提供することができる。
【００７４】
また、この天板では、天前板１４ｂの前面には、放音用のネット部材２９を有する放音部材２４が設けられていることより、楽器ケース１内の発音部１３で発生された楽音を、天前板１４ｂに設けられた複数の開放孔１４ｃおよび放音部材２４の放音孔２３から楽器ケース１の前側に向けて良好に放音させることができるほか、天前板１４ｂの前面側に露出する取付調整部材３５のねじ部材３８の頭部３８ａや補助金具４１を隠すことができるので、外観的にもデザイン的にも好ましいものを得ることができる。
【００７５】
さらに、この天板組立方法では、一対の側板５の後部間に設けられた背板４の上端部に第１天板３０を回転可能に取り付け、この状態で第１天板３０の前側に位置する一対の側板５上に第２天板３１を取り付ける際に、第１天板３０の前端部と第２天板３１の後端部との間に隙間ゲージＧを配置して、この状態で取付調整部材３５によって第２天板３１の取付位置を調整して第２天板３１を一対の側板５に対して固定することにより、組立て作業が簡単でかつ容易にできると共に、第２天板３１を精度良く正確に取り付けることができる。
【００７６】
すなわち、この天板組立方法では、背板４の上端部に第１天板３０の後端部を回転可能に取り付け、この第１天板３０の前側に、取付調整部材３５の取付部材３６が取り付けられた第２天板３１を配置する際に、第１天板３０の前端部の第１傾斜面３０ｂと第２天板３１の後端部の第２傾斜面３１ａとの間に隙間ゲージＧを配置して、第１天板３０の前端部と第２天板３１の後端部との隙間Ｓ２が均一になるように位置合わせをすることができる。
【００７７】
また、この天板組立方法では、第２天板３１を第１天板３０の前側に位置する一対の側板５上に配置して位置合せした状態で、取付調整部材３５のねじ部材３８のねじ部３８ａを補助金具４１のねじ孔４１ａにねじ部３８ａを螺合させて天前板１４ｂのねじ挿入孔４０に挿入させ、この挿入されたねじ部３８ａの先端部を取付部材３６の第２取付部３６ｂのねじ孔３９に螺合させて、ねじ部材３８を締め付けることにより、簡単に第２天板３１を一対の側板５に対して固定することができる。
【００７８】
この場合、ねじ部材３８を締め付けながら、第１天板３０の前端部と第２天板３１の後端部との隙間Ｓ２を隙間ゲージＧで調整することができるので、第１天板３０の前端部と第２天板３１の後端部との隙間Ｓ２を均一にすることができる。このとき、天前板１４ｂの後面と第２取付部３６ｂとの間に隙間Ｓ１が生じていても、その隙間Ｓ１を保った状態で、第２取付部３６ｂを天前板１４ｂに対して固定することができるので、第２天板３１を一対の側板５上に対して正確にかつ精度よく位置合せして固定することができる。
【００７９】
なお、上述した実施形態では、天前板１４ｂにねじ挿入孔４０を設け、この天前板１４ｂの前面に補助金具４１を設け、この補助金具４１にねじ部材３８が螺合するねじ孔４１ａを設けた場合について述べたが、必ずしも補助金具４１を設ける必要はなく、天前板１４ｂにねじ部材３８が螺合するねじ孔を設けた構成であっても良い。
【００８０】
また、上述した実施形態では、発音部１３としてスピーカを備えた電子式の鍵盤楽器に適用した場合について述べたが、これに限らず、例えば発音部１３として弦を用いたアコースティックピアノなどの鍵盤装置にも適用することができる。
【００８１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８２】
（付記）
請求項１に記載の発明は、背板の上端部に開閉可能に取り付けられた第１天板と、前記第１天板の前側に配置される第２天板と、閉じた状態の前記第１天板の前端部と前記第２天板の後端部との間の距離が調整可能な取付調整部材と、を備えていることを特徴とする天板である。
【００８３】
請求項２に記載の発明は、請求項１に記載の天板において、前記背板は一対の側板の後部間に設けられ、  前記第２天板は前記一対の側板に対して固定されることを特徴とする天板である。
【００８４】
請求項３に記載の発明は、請求項２に記載の天板において、前記第２天板の前側下面に位置して前記一対の側板間に取り付けられた天前板を備えていることを特徴とする天板である。
【００８５】
請求項４に記載の発明は、請求項３に記載の天板において、前記取付調整部材は、前記第２天板の下面に取り付けられる第１取付部と前記天前板の後面に対して取り付けられる第２取付部とを有する取付部材と、前記第２取付部を前記天前板の後面に対して調整可能に取り付ける締結部材と、を備えていることを特徴とする天板である。
【００８６】
請求項５に記載の発明は、請求項１〜請求項４のいずれかに記載の天板において、前記第１天板の前端部には、その上面から下面に向けてオーバーハング状に傾斜する第１傾斜面が設けられており、前記第２天板部の後端部には、その下面から上面に向けて傾斜し、前記第１天板の前記第１傾斜面の下側に潜り込む第２傾斜面が設けられていることを特徴とする天板である。
【００８７】
請求項６に記載の発明は、請求項３または請求項４のいずれかに記載の天板において、前記天前板の前面には、放音用のネット部材が設けられていることを特徴とする天板である。
【００８８】
請求項７に記載の発明は、一対の側板の後部間に設けられた背板の上端部に第１天板を回転可能に取り付ける第１の工程と、前記第１天板の前側に位置する前記一対の側板上に第２天板を配置する際に、前記第１天板の前端部と前記第２天板の後端部との間に隙間ゲージを配置し、この状態で取付調整部材によって前記第２天板の取付位置を調整して前記第２天板を前記一対の側板に対して固定する第２の工程と、を有していることを特徴とする天板組立方法である。
【００８９】
請求項８に記載の発明は、一対の側板と、前記一対の側板の後部間に設けられた背板と、請求項１〜請求項６のいずれかに記載された天板と、を備えた楽器ケースと、前記楽器ケース内に設けられ、複数の鍵を有する鍵盤部と、前記楽器ケース内に設けられ、前記複数の鍵のいずれかに対する押鍵操作に応答して楽音を発音する発音部と、を備えていることを特徴とする鍵盤楽器である。
【符号の説明】
【００９０】
１  楽器ケース
２  底板
３  前板
４  背板
５  側板
６  天板
７  鍵盤部
１３  発音部
１４  仕切部材
１４ｂ  天前板
１４ｃ  開放孔
１７  鍵盤蓋
２３  放音孔
２４  放音部材
２９  ネット部材
３０  第１天板
３０ｂ  第１傾斜面
３１  第２天板
３１ａ  第２傾斜面
３５  取付調整部材
３６  取付部材
３６ａ  第１取付部
３６ｂ  第２取付部
３７  ビス
３８  ねじ部材
３９  ねじ孔
４０  ねじ挿入孔
４１  補助金具
４１ａ  ねじ孔
Ｓ１、Ｓ２  隙間
【図１】
0006604498.tif 000002
【図２】
0006604498.tif 000003
【図３】
0006604498.tif 000004